(57)【要約】【課題】使用者毎にパラメータを簡易に設定することができる撮像装置を提供する。【解決手段】一時記憶部１０１３は、所定の機能の実行に係るパラメータと使用者の属性を関連付けて記憶する。使用者識別部１０１２は、音声入力部１０１１に入力された使用者の音声に基づいて使用者の属性を識別する。システムコントローラ１００１は、使用者識別部１０１２によって検出された使用者の属性に対応したパラメータを一時記憶部１０１３から読み出して設定する。【選択図】図１
2009065450.tif 000002
【特許請求の範囲】
【請求項１】
光学像を結像する光学系と、
前記光学系によって結像された光学像を電気信号に変換する撮像手段と、
使用者の属性を検出する属性検出手段と、
所定の機能の実行に係るパラメータと前記使用者の属性を関連付けて記憶する記憶手段と、
前記属性検出手段によって検出された前記使用者の属性に対応した前記パラメータを前記記憶手段から読み出して設定する設定手段と、
を備えたことを特徴とする撮像装置。
【請求項２】
前記使用者が前記パラメータを入力するパラメータ入力手段をさらに備え、
前記記憶手段は、前記パラメータ入力手段に入力された前記パラメータと、前記属性検出手段によって検出された前記使用者の属性とを関連付けて記憶する
ことを特徴とする請求項１に記載の撮像装置。
【請求項３】
前記属性検出手段は、
前記使用者が音声を入力する音声入力手段と、
前記音声入力手段に入力された前記使用者の音声に基づいて前記使用者の属性を識別する属性識別手段とを有する
ことを特徴とする請求項１または請求項２に記載の撮像装置。
【請求項４】
前記属性検出手段は、
前記使用者の画像を取得する画像取得手段と、
前記画像取得手段によって取得された前記使用者の画像に基づいて前記使用者の属性を識別する属性識別手段とを有する
ことを特徴とする請求項１または請求項２に記載の撮像装置。
【請求項５】
前記パラメータ入力手段は、
前記使用者が音声を入力する音声入力手段と、
前記音声入力手段に入力された前記使用者の音声に基づいて前記パラメータを認識するパラメータ認識手段とを有する
ことを特徴とする請求項２に記載の撮像装置。
【発明の詳細な説明】
【技術分野】
【０００１】
本発明は、デジタルカメラやデジタルビデオカメラ等の撮像装置に関する。
【背景技術】
【０００２】
民生用のデジタルカメラにおいて、所定の機能に実行に係るシステムパラメータが用意されている。使用者が、被写体に応じたシステムパラメータを即時に決定することは熟練を要するため、これを簡略化し、手軽に良い画像を記録できるプログラムモードや自動シーン検出の機能が用意されている。
【０００３】
自動検出モードでは特定の被写体（人物の顔等）や、周辺の環境光、逆光撮影の有無を検出することが可能であり、それらの検出結果に応じて最適なシステムパラメータが設定される。また、より詳細にシステムパラメータを選択するために、使用者が選択できるシーンプログラムが用意されている。例えば、「スポーツ」モードでは、シャッタ速度を優先し、場合によってはＩＳＯ感度の向上やアンダーの露光を設定する。「料理」モードでは、赤みを強調した設定になっている。「寝顔」モードでは、感度を向上させ、フラッシュオフにする。また、人物の顔を検出し、露出や色バランスを自動的に補正するカメラも実用化されている。
【０００４】
上記のシーンプログラムに関しては、カメラシステムのファームウェアを書き換えることで、新たなシーンプログラムをカメラシステムに導入することができる。例えば、製造・販売元からファームウェアを使用者に提供する場合、ネットワークを介して使用者にダウンロードして貰うことで新たなシーンプログラムの導入が行えるし、固体メモリやＣＤ-ＲＯＭを配布することによっても新たなシーンプログラムの導入が行える。
【０００５】
一方で、マイクロフォンを備え、音声入力を可能としたデジタルカメラは、従来から種々提供されている。この種のカメラは、撮像された被写体画像をカメラに付属のモニタ装置で再生する際、入力された音声も同時に再生するようになっている。特許文献１に開示されたカメラでは、入力された音声を画像表示と同時に再生するだけでなく、入力された音声を分析し、音声を“ひらがな”、“カタカナ”、“漢字”、“アルファベット”等の文字画像に変換し、これを被写体像と合成することによって、撮影した画像を印刷する際に文字も一緒に印字することを可能としている。このカメラによれば、撮影時の会話内容が、印刷された画像上に書き込まれるので、静止画像を見るだけでは得られない情報を得ることができる。
【特許文献１】特開平５−１８４５４４号公報
【発明の開示】
【発明が解決しようとする課題】
【０００６】
シーンプログラムを使用者が選択する従来の方式では、必要以上の種類のシーンプログラムを用意した場合、メニュー上で目的のシーンプログラムに到達するまでに時間を要し、使用者に負担を強いることになる。また、目的のシーンプログラムに到達するまでに時間を要してしまった結果、シャッターチャンスを逃す場合もある。このように、システムパラメータの設定が複雑で時間を要するという問題があった。
【０００７】
本発明は、上述した課題に鑑みてなされたものであって、使用者毎にパラメータを簡易に設定することができる撮像装置を提供することを目的とする。
【課題を解決するための手段】
【０００８】
本発明は、上記の課題を解決するためになされたもので、光学像を結像する光学系（図１等のレンズ１００２に対応）と、前記光学系によって結像された光学像を電気信号に変換する撮像手段（図１等のＣＣＤ１００３に対応）と、使用者の属性を検出する属性検出手段（図１等の音声入力部１０１０、音声認識処理部１０１１、使用者識別部１０１２、図１２のアイピース光学系１０２０、画像生成部１０２１、画像認識処理部１０２２に対応）と、所定の機能の実行に係るパラメータと前記使用者の属性を関連付けて記憶する記憶手段（図１等の一時記憶部１０１３に対応）と、前記属性検出手段によって検出された前記使用者の属性に対応した前記パラメータを前記記憶手段から読み出して設定する設定手段（図１等のシステムコントローラ１００１に対応）とを備えたことを特徴とする撮像装置（図１のカメラシステム１ａ、図１０のカメラシステム１ｂ、図１２のカメラシステム１ｃに対応）である。
【０００９】
また、本発明の撮像装置は、前記使用者が前記パラメータを入力するパラメータ入力手段（図１等の音声入力部１０１０、音声認識処理部１０１１、操作キー１０１５に対応）をさらに備え、前記記憶手段は、前記パラメータ入力手段に入力された前記パラメータと、前記属性検出手段によって検出された前記使用者の属性とを関連付けて記憶することを特徴とする。
【００１０】
また、本発明の撮像装置において、前記属性検出手段は、前記使用者が音声を入力する音声入力手段（図１等の音声入力部１０１０に対応）と、前記音声入力手段に入力された前記使用者の音声に基づいて前記使用者の属性を識別する属性識別手段（図１等の音声認識処理部１０１１、使用者識別部１０１２に対応）とを有することを特徴とする。
【００１１】
また、本発明の撮像装置において、前記属性検出手段は、前記使用者の画像を取得する画像取得手段（図１２のアイピース光学系１０２０、画像生成部１０２１に対応）と、前記画像取得手段によって取得された前記使用者の画像に基づいて前記使用者の属性を識別する属性識別手段（図１２の画像認識処理部１０２２、使用者識別部１０１２に対応）とを有することを特徴とする。
【００１２】
また、本発明の撮像装置において、前記パラメータ入力手段は、前記使用者が音声を入力する音声入力手段（図１等の音声入力部１０１０に対応）と、前記音声入力手段に入力された前記使用者の音声に基づいて前記パラメータを認識するパラメータ認識手段（図１等の音声認識処理部１０１１に対応）とを有することを特徴とする。
【００１３】
上記において、括弧で括った部分の記述は、後述する本発明の実施形態と本発明の構成要素とを便宜的に対応付けるためのものであり、この記述によって本発明の内容が限定されるわけではない。
【発明の効果】
【００１４】
本発明によれば、予め用意されたパラメータのうち、使用者の属性に対応したパラメータが自動的に設定されるので、使用者毎にパラメータを簡易に設定することができるという効果が得られる。
【発明を実施するための最良の形態】
【００１５】
以下、図面を参照し、本発明の実施形態を説明する。
【００１６】
（第１の実施形態）
まず、本発明の第１の実施形態を説明する。図１は、本実施形態によるカメラシステム１ａの構成を示している。また、図２は、カメラシステム１ａの本体を上から見た外観を示している。図１において、実線は画像信号、音声信号、またはシステムパラメータ等のデータの流れを示しており、破線は制御信号を示している。図１に示すカメラシステム１ａは、システムコントローラ１００１、レンズ１００２、ＣＣＤ１００３、撮像回路１００４、Ａ／Ｄ変換回路１００５、信号処理回路１００６、圧縮回路１００７、記憶メディア１００８、表示部１００９、音声入力部１０１０、音声認識処理部１０１１、使用者識別部１０１２、一時記憶部１０１３、レリーズボタン１０１４、操作キー１０１５、モード選択ダイヤル１０１６、フラッシュ１０１７、および測光センサ１０１８を備えている。
【００１７】
システムコントローラ１００１はカメラシステム１ａの全体的な制御を行う。レンズ１００２は被写体からの光をＣＣＤ１００３の撮像面に光学的に結像し、被写体の光学像を形成する。図２に示すように、レンズ１００２はカメラシステム１ａの本体の前面に設けられている。ＣＣＤ１００３は、撮像面に結像された光学像を光電変換により電気信号に変換する。撮像回路１００４は、ＣＣＤ１００３に対して走査タイミングや走査方式の設定を行うと共に、ＣＣＤ１００３から出力されたアナログ信号に対して、増幅処理、ホワイトバランス処理、およびノイズ低減のための画素加算処理を行う。
【００１８】
Ａ／Ｄ変換回路１００５は、撮像回路１００４によって処理されたアナログ信号をデジタル信号に変換する。信号処理回路１００６は、Ａ／Ｄ変換回路１００５から出力されたデジタル信号に対して、階調補正、色調整、ノイズフィルタ、エッジ強調、および電子ズームの各処理を行い、画像データとする。圧縮回路１００７は、信号処理回路１００６によって処理された画像データを圧縮する。
【００１９】
記憶メディア１００８は画像データを記憶するほか、後述する使用者の属性情報とシステムパラメータとを関連付けて記憶する。記憶メディア１００８はカメラシステム１ａに固定されるものでもよいし、カメラシステム１ａに対して着脱可能な可搬式のものでもよい。表示部１００９は、信号処理回路１００６によって処理された画像データに基づいて画像を表示するほか、メニューやシステムパラメータ等を表示する。
【００２０】
音声入力部１０１０はマイクロフォンを有している。使用者が音声入力部１０１０に音声を入力すると、その音声に基づいた音声信号が音声入力部１０１０から出力される。音声認識処理部１０１１は、音声入力部１０１０から出力される音声信号に基づいて音声パターン（声紋パターン）および音声の内容（音声が示す文字列）を認識する。使用者識別部１０１２は、音声認識処理部１０１１によって認識された音声パターンを、予め登録された音声パターンと比較し、比較結果に基づいて使用者を識別する。一時記憶部１０１３はシステムパラメータ等を一時的に記憶する。
【００２１】
レリーズボタン１０１４は、使用者が撮影指示を入力するためのボタンである。操作キー１０１５は、使用者がメニュー操作を行ったり、システムパラメータを入力したりするためのキーである。モード選択ダイヤル１０１６は、使用者がカメラシステム１ａの動作モードを選択するためのダイヤルである。図２に示すように、モード選択ダイヤル１０１６はカメラシステム１ａの本体の上面に設けられており、その回転位置に応じて動作モードが決定される。フラッシュ１０１７は光量を補うための発光を行う。測光センサ１０１８は、自動露光や自動焦点調節に係る測光を実施するセンサである。
【００２２】
次に、本実施形態におけるシステムパラメータを説明する。システムパラメータは、カメラシステム１ａを構成する各部の動作を制御するパラメータである。システムコントローラ１００１がカメラシステム１ａの制御に用いるシーンプログラムやプリセットプログラムには各種のシステムパラメータが含まれている。本実施形態のシステムパラメータは、主にレンズパラメータ、撮像パラメータ、画像処理パラメータ、測光パラメータ、および補助光パラメータで構成される。
【００２３】
レンズパラメータは、レンズ１００２の機能の実行に係るパラメータである。このレンズパラメータには、露出に係る絞りやシャッタ速度、光学変倍率（ズーム倍率）等のパラメータが含まれる。撮像パラメータは、撮像回路１００４の機能の実行に係るパラメータである。この撮像パラメータには、ＣＣＤ１００３の感度や増幅率のほか、電子シャッタやホワイトバランス処理・画素加算処理等のパラメータが含まれる。画像処理パラメータは、信号処理回路１００６の機能の実行に係るパラメータである。この画像処理パラメータには、階調補正、色調整、ノイズフィルタ、エッジ強調、および電子ズーム等の各処理のパラメータが含まれる。
【００２４】
測光パラメータは、測光センサ１０１８の機能の実行に係るパラメータである。この測光パラメータには、自動露光や自動焦点調節のための測光方法および測光エリア等に関するパラメータが含まれる。補助光パラメータは、フラッシュ１０１７の機能の実行に係るパラメータである。この補助光パラメータには、先幕発光であるか後幕発光であるか、それともスローシンクロモードで発光を行うか等を示すパラメータのほか、光の照射方向に関する配光のパラメータや波長のパラメータ、発光量のパラメータ等が含まれる。
【００２５】
次に、本実施形態によるカメラシステム１ａの動作を説明する。本実施形態では、使用者個人を識別することが可能な使用者の属性とシーンプログラムまたはプリセットプログラムとの対応関係を記憶メディア１００８に予め登録する必要がある。以下、図３を参照しながら、撮影前に行う登録時のカメラシステム１ａの動作を説明する。まず、使用者が音声入力部１０１０に音声を入力すると、音声入力部１０１０は、その音声に基づいた音声信号を出力する（ステップＳ１００）。この際に入力する音声は何でもよい。音声認識処理部１０１１は、音声入力部１０１０からの音声信号に基づいて音声パターンを認識し、使用者の属性を示す使用者属性情報として一時記憶部１０１３に格納する（ステップＳ１１０）。
【００２６】
続いて、シーンプログラムまたはプリセットプログラムに含まれるシステムパラメータの修正が行われる。この修正は、使用者による操作キー１０１５の操作または音声入力により行われる（ステップＳ１２０）。システムパラメータが修正されたシーンプログラムまたはプリセットプログラムは、使用者属性情報と関連付けて一時記憶部１０１３に格納される。一時記憶部１０１３に格納された使用者属性情報とシーンプログラムまたはプリセットプログラムは、システムコントローラ１００１による制御に従って記憶メディア１００８に保存される（ステップＳ１３０）。複数の使用者がカメラシステムを使用する場合には、各使用者について上記の動作を行うことにより、各使用者に対応したシーンプログラムまたはプリセットプログラムを登録することができる。
【００２７】
ステップＳ１２０において、操作キー１０１５の操作によりシステムパラメータの修正を行う場合には、使用者が操作キー１０１５を操作し、シーンプログラムまたはプリセットプログラムを指定する情報と、システムパラメータの種類等を指定する情報とを入力すると、各情報に基づいた信号が操作キー１０１５からシステムコントローラ１００１へ出力される。システムコントローラ１００１は、その信号に基づいて、指定されたシーンプログラムまたはプリセットプログラムを記憶メディア１００８から読み出して一時記憶部１０１３に格納し、システムパラメータの修正を実行する。システムパラメータの修正後、システムコントローラ１００１は、修正されたシーンプログラムまたはプリセットプログラムを使用者情報と共に記憶メディア１００８に格納する。
【００２８】
また、ステップＳ１２０において、音声入力によりシステムパラメータの修正を行う場合には、図４に示す手順に従った処理が実行される。まず、使用者が、システムパラメータの修正に係る音声を音声入力部１０１０に入力すると、音声入力部１０１０は、その音声に基づいた音声信号を出力する（ステップＳ１２００）。
【００２９】
レンズパラメータに含まれる露出のシステムパラメータを修正する場合、ステップＳ１２００ではシーンプログラムまたはプリセットプログラムを指定する音声に続いて、 “露出”という音声が入力される。また、撮像パラメータに含まれる感度のシステムパラメータを修正する場合、ステップＳ１２００ではシーンプログラムまたはプリセットプログラムを指定する音声に続いて、“感度”という音声が入力される。
【００３０】
また、補助光パラメータに含まれるフラッシュ１０１７のシステムパラメータを修正する場合、ステップＳ１２００ではシーンプログラムまたはプリセットプログラムを指定する音声に続いて、“フラッシュ”という音声が入力される。また、画像処理パラメータに含まれる画像処理のシステムパラメータを修正する場合、ステップＳ１２００ではシーンプログラムまたはプリセットプログラムを指定する音声に続いて、“画像処理”という音声が入力される。なお、シーンプログラムまたはプリセットプログラムを指定する方法は音声入力に限らず、操作キー１０１５の操作により行ってもよい。
【００３１】
続いて、音声認識処理部１０１１は、音声入力部１０１０からの音声信号に基づいて音声パターンおよび音声の内容（音声が示す文字列）を認識し、それらの情報を一時記憶部１０１３に格納する（ステップＳ１２１０）。続いて、システムコントローラ１００１は記憶メディア１００８から使用者属性情報を読み出し、一時記憶部１０１３に格納する。使用者識別部１０１２は、ステップＳ１２１０で一時記憶部１０１３に格納した音声パターンを読み出し、使用者属性情報が示す音声パターンと照合し、使用者を識別する（ステップＳ１２２０）。ステップＳ１２００で入力された音声から得られた音声パターンと使用者属性情報が示す音声パターンとが一致した場合、その使用者属性情報によって識別される使用者がシステムパラメータを修正しようとしていることが分かる。
【００３２】
使用者識別部１０１２は、ステップＳ１２２０で識別した使用者に対応した使用者属性情報をシステムコントローラ１００１に通知する。また、音声認識処理部１０１１は、シーンプログラムまたはプリセットプログラムを指定する情報をシステムコントローラ１００１に通知する。システムコントローラ１００１は、使用者識別部１０１２から通知された使用者属性情報と関連付けられているシーンプログラムまたはプリセットプログラムを記憶メディア１００８から読み出し、一時記憶部１０１３に格納する（ステップＳ１２３０）。
【００３３】
続いて、システムコントローラ１００１は、ステップＳ１２１０で認識された音声の内容を示す情報を一時記憶部１０１３から読み出し、その情報に基づいて、露出のシステムパラメータの修正を行うか否かを判定する（ステップＳ１２４０）。ステップＳ１２１０で認識された音声が“露出”であった場合にはステップＳ１２８０に進み、露出のシステムパラメータの修正が行われる。
【００３４】
また、ステップＳ１２１０で認識された音声が“露出”でなかった場合には、システムコントローラ１００１は、感度のシステムパラメータの修正を行うか否かを判定する（ステップＳ１２５０）。ステップＳ１２１０で認識された音声が“感度”であった場合にはステップＳ１２９０に進み、感度のシステムパラメータの修正が行われる。
【００３５】
また、ステップＳ１２１０で認識された音声が“感度”でなかった場合には、システムコントローラ１００１は、フラッシュ１０１７のシステムパラメータの修正を行うか否かを判定する（ステップＳ１２６０）。ステップＳ１２１０で認識された音声が“フラッシュ”であった場合にはステップＳ１３００に進み、フラッシュ１０１７のシステムパラメータの修正が行われる。
【００３６】
また、ステップＳ１２１０で認識された音声が “フラッシュ”でなかった場合には、システムコントローラ１００１は、画像処理のシステムパラメータの修正を行うか否かを判定する（ステップＳ１２７０）。ステップＳ１２１０で認識された音声が“画像処理”であった場合にはステップＳ１３１０に進み、画像処理のシステムパラメータの修正が行われる。また、ステップＳ１２１０で認識された音声が“画像処理”でなかった場合には、システムパラメータの修正は行われず、図３に示すステップＳ１３０に処理が進む。
【００３７】
以下、図５〜図８を参照しながら、ステップＳ１２８０〜Ｓ１３１０の処理内容を説明する。図５は、露出のシステムパラメータを修正するステップＳ１２８０の処理手順を示している。まず、システムパラメータの修正内容を示す音声が使用者によって音声入力部１０１０に入力され、音声入力部１０１０は、その音声に基づいた音声信号を出力する（ステップＳ１２８０ａ）。ステップＳ１２８０ａでは、例えば“絞りマイナス０．５”という音声が入力される。
【００３８】
続いて、音声認識処理部１０１１は、音声入力部１０１０からの音声信号に基づいて音声の内容（音声が示す文字列）を認識し（ステップＳ１２８０ｂ）、さらに認識した文字列をキーワードに分解し、その情報を一時記憶部１０１３に格納する（ステップＳ１２８０ｃ）。例えば“絞りマイナス０．５”という音声がステップＳ１２８０ａで入力された場合、認識した文字列が“絞り”、“マイナス”、“０．５”という３つのキーワードに分解される。
【００３９】
続いて、システムコントローラ１００１は、ステップＳ１２８０ｂで認識されたキーワードを一時記憶部１０１３から読み出し、キーワードに“絞り”が含まれることから絞り値を修正すると判断し、シーンプログラムまたはプリセットプログラムに設定されている絞り値を一時記憶部１０１３から読み出す（ステップＳ１２８０ｄ）。
【００４０】
システムコントローラ１００１は、読み出した絞り値を、ステップＳ１２８０ｂで認識されたキーワードに基づいて修正し、修正後の絞り値を一時記憶部１０１３に格納する（ステップＳ１２８０ｅ）。例えば“絞りマイナス０．５”という音声がステップＳ１２８０ａで入力された場合、絞り値が修正前よりも０．５だけ減少した値に設定される。続いて、図３に示すステップＳ１３０に処理が進む。
【００４１】
図６は、感度のシステムパラメータを修正するステップＳ１２９０の処理手順を示している。まず、システムパラメータの修正内容を示す音声が使用者によって音声入力部１０１０に入力され、音声入力部１０１０は、その音声に基づいた音声信号を出力する（ステップＳ１２９０ａ）。ステップＳ１２９０ａでは、例えば“ＥＶ（いーぶい）プラス１”という音声が入力される。
【００４２】
続いて、音声認識処理部１０１１は、音声入力部１０１０からの音声信号に基づいて音声の内容（音声が示す文字列）を認識し（ステップＳ１２９０ｂ）、さらに認識した文字列をキーワードに分解し、その情報を一時記憶部１０１３に格納する（ステップＳ１２９０ｃ）。例えば“ＥＶプラス１”という音声がステップＳ１２９０ａで入力された場合、認識した文字列が“ＥＶ”、“プラス”、“１”という３つのキーワードに分解される。
【００４３】
続いて、システムコントローラ１００１は、ステップＳ１２９０ｂで認識されたキーワードを一時記憶部１０１３から読み出し、キーワードに“ＥＶ”が含まれることからＣＣＤ１００３の感度を修正すると判断し、シーンプログラムまたはプリセットプログラムに設定されている感度を一時記憶部１０１３から読み出す（ステップＳ１２９０ｄ）。
【００４４】
システムコントローラ１００１は、読み出した感度を、ステップＳ１２９０ｂで認識されたキーワードに基づいて修正し、修正後の感度を一時記憶部１０１３に格納する（ステップＳ１２９０ｅ）。例えば“ＥＶプラス１”という音声がステップＳ１２９０ａで入力された場合、感度が修正前よりも１だけ増加した値に設定される。続いて、図３に示すステップＳ１３０に処理が進む。
【００４５】
図７は、フラッシュ１０１７のシステムパラメータを修正するステップＳ１３００の処理手順を示している。まず、システムパラメータの修正内容を示す音声が使用者によって音声入力部１０１０に入力され、音声入力部１０１０は、その音声に基づいた音声信号を出力する（ステップＳ１３００ａ）。ステップＳ１３００ａでは、例えば“ＥＶプラス１”という音声が入力される。
【００４６】
続いて、音声認識処理部１０１１は、音声入力部１０１０からの音声信号に基づいて音声の内容（音声が示す文字列）を認識し（ステップＳ１３００ｂ）、さらに認識した文字列をキーワードに分解し、その情報を一時記憶部１０１３に格納する（ステップＳ１３００ｃ）。例えば“ＥＶプラス１”という音声がステップＳ１３００ａで入力された場合、認識した文字列が“ＥＶ”、“プラス”、“１”という３つのキーワードに分解される。
【００４７】
続いて、システムコントローラ１００１は、ステップＳ１３００ｂで認識されたキーワードを一時記憶部１０１３から読み出し、キーワードに“ＥＶ”が含まれることからフラッシュ１０１７の発光量を修正すると判断し、シーンプログラムまたはプリセットプログラムに設定されている発光量を一時記憶部１０１３から読み出す（ステップＳ１３００ｄ）。
【００４８】
システムコントローラ１００１は、読み出した発光量を、ステップＳ１３００ｂで認識されたキーワードに基づいて修正し、修正後の発光量を一時記憶部１０１３に格納する（ステップＳ１３００ｅ）。例えば“ＥＶプラス１”という音声がステップＳ１３００ａで入力された場合、発光量が修正前よりも１だけ増加した値に設定される。続いて、図３に示すステップＳ１３０に処理が進む。
【００４９】
図８は、画像処理のシステムパラメータを修正するステップＳ１３１０の処理手順を示している。まず、システムパラメータの修正内容を示す音声が使用者によって音声入力部１０１０に入力され、音声入力部１０１０は、その音声に基づいた音声信号を出力する（ステップＳ１３１０ａ）。ステップＳ１３１０ａでは、例えば“フィルタノイズ強め”という音声が入力される。
【００５０】
続いて、音声認識処理部１０１１は、音声入力部１０１０からの音声信号に基づいて音声の内容（音声が示す文字列）を認識し（ステップＳ１３１０ｂ）、さらに認識した文字列をキーワードに分解し、その情報を一時記憶部１０１３に格納する（ステップＳ１３１０ｃ）。例えば“フィルタノイズ強め”という音声がステップＳ１３００ａで入力された場合、認識した文字列が“フィルタ”、“ノイズ”、“強め”という３つのキーワードに分解される。
【００５１】
続いて、システムコントローラ１００１は、ステップＳ１３１０ｂで認識されたキーワードを一時記憶部１０１３から読み出し、キーワードに“フィルタ”と“ノイズ”が含まれることからノイズフィルタの強度を修正すると判断し、シーンプログラムまたはプリセットプログラムに設定されているノイズフィルタの強度を一時記憶部１０１３から読み出す（ステップＳ１３１０ｄ）。
【００５２】
システムコントローラ１００１は、読み出したノイズフィルタの強度を、ステップＳ１３１０ｂで認識されたキーワードに基づいて修正し、修正後のノイズフィルタの強度を一時記憶部１０１３に格納する（ステップＳ１３１０ｅ）。例えば“フィルタノイズ強め”という音声がステップＳ１３１０ａで入力された場合、修正前よりもフィルタ処理の効果を強めるようにノイズフィルタの強度が設定される。続いて、図３に示すステップＳ１３０に処理が進む。
【００５３】
図３〜図８に示した処理が実行されると、使用者の属性とシーンプログラムまたはプリセットプログラムとの対応関係が記憶メディア１００８に登録されたことになる。以下、図９を参照しながら、撮影時のカメラシステム１ａの動作を説明する。まず、シーンプログラムまたはプリセットプログラムを指定する音声が使用者によって音声入力部１０１０に入力され、音声入力部１０１０は、その音声に基づいた音声信号を出力する（ステップＳ２００）。ステップＳ２００では、例えば“プリセット１”という音声が入力される。
【００５４】
続いて、音声認識処理部１０１１は、音声入力部１０１０からの音声信号に基づいて音声パターンおよび音声の内容（音声が示す文字列）を認識し（ステップＳ２１０）、さらに認識した文字列をキーワードに分解し、その情報を一時記憶部１０１３に格納する（ステップＳ２２０）。
【００５５】
続いて、システムコントローラ１００１は記憶メディア１００８から使用者属性情報を読み出し、一時記憶部１０１３に格納する。使用者識別部１０１２は、ステップＳ２１０で一時記憶部１０１３に格納した音声パターンを読み出し、使用者属性情報が示す音声パターンと照合し、使用者を識別する（ステップＳ２３０）。ステップＳ２００で入力された音声から得られた音声パターンと使用者属性情報が示す音声パターンとが一致した場合、その使用者属性情報によって識別される使用者が撮影を行おうとしていることが分かる。
【００５６】
使用者識別部１０１２は、ステップＳ２３０で識別した使用者に対応した使用者属性情報をシステムコントローラ１００１に通知する。また、音声認識処理部１０１１は、シーンプログラムまたはプリセットプログラムを指定する情報をシステムコントローラ１００１に通知する。システムコントローラ１００１は、使用者識別部１０１２から通知された使用者属性情報と関連付けられているシーンプログラムまたはプリセットプログラムのうち、ステップＳ２２０で認識されたキーワードに対応したものを記憶メディア１００８から読み出し、一時記憶部１０１３に格納する（ステップＳ２４０）。例えば、使用者ＡがステップＳ２００で“プリセット１”という音声を入力した場合、使用者Ａの使用者属性情報と関連付けられている番号１のプリセットプログラムが読み出される。
【００５７】
続いて、システムコントローラ１００１は、ステップＳ２４０で一時記憶部１０１３に格納したシーンプログラムまたはプリセットプログラムを読み出し、それに設定されているシステムパラメータをカメラシステム１ａ内の各部に設定する（ステップＳ２５０）。これにより、ステップＳ２００で音声入力を行った使用者に対応したシーンプログラムまたはプリセットプログラムのシステムパラメータが設定される。続いて、撮影が行われる（ステップＳ２６０）。この動作は従来と同様であるので、説明を省略する。
【００５８】
上述したカメラシステム１ａの動作には各種の変形を施すことが可能である。例えば図３に示した処理手順では、システムパラメータを修正するステップＳ１２０が含まれているが、必ずしもシステムパラメータを修正しなくてもよい。また、図３に示した処理手順に従って使用者の属性とシーンプログラムまたはプリセットプログラムとの対応関係を登録した後でも、適宜、システムパラメータを修正できるようにしてもよい。
【００５９】
上述したように、本実施形態によれば、予め用意されたシステムパラメータのうち、使用者の属性に対応したシステムパラメータがカメラシステム１ａに自動的に設定されるので、使用者毎にシステムパラメータを簡易に設定することができる。また、図３のステップＳ１２０において、使用者がシステムパラメータの値を入力することが可能であるので、使用者の好みに応じたシステムパラメータを設定することができる。
【００６０】
また、図５〜図８に示したように、使用者が音声入力によりシステムパラメータの値を入力することが可能であるので、操作キー１０１５の操作によりシステムパラメータの値を入力するよりも簡易にシステムパラメータを設定することができる。
【００６１】
（第２の実施形態）
次に、本発明の第２の実施形態を説明する。図１０は、本実施形態によるカメラシステム１ｂの構成を示している。このカメラシステム１ｂでは、図１に示したカメラシステム１ａと比較して、通信部１０１９が追加されている。通信部１０１９は外部のサーバ２と通信を行う。この通信は有線通信と無線通信のどちらでもよい。サーバ２はシーンプログラムおよびプリセットプログラムを記憶している。本実施形態ではサーバ２が設けられているが、シーンプログラムおよびプリセットプログラムを記憶するのはサーバに限らず、記憶装置を備えたコンピュータ装置であれば何でもよい。
【００６２】
図１１は、カメラシステム１ｂの本体を上から見た外観を示している。図１１に示すように、通信部１０１９が有するアンテナ１０１９ａがカメラシステム１ｂの本体の上面に設けられている。
【００６３】
カメラシステム１ｂは、サーバ２と通信を行い、必要なシーンプログラムおよびプリセットプログラムを取得する。例えば使用者の属性とシーンプログラムまたはプリセットプログラムとの対応関係を登録する際には、通信部１０１９は、使用者によって指定されたシーンプログラムまたはプリセットプログラムの情報をサーバ２へ送信する。サーバ２は、受信した情報が示すシーンプログラムまたはプリセットプログラムをカメラシステム１ｂへ送信する。通信部１０１９によって受信されたシーンプログラムまたはプリセットプログラムは一時記憶部１０１３に格納される。
【００６４】
システムパラメータの修正が行われた後、シーンプログラムまたはプリセットプログラムは使用者属性情報と共に記憶メディア１００８に格納される。あるいは、システムパラメータの修正を行ったシーンプログラムまたはプリセットプログラムをサーバ２へ送信し、サーバ２に記憶させ、撮影時にそのシーンプログラムまたはプリセットプログラムを再度サーバ２から受信するようにしてもよい。システムパラメータの設定に関するカメラシステム１ｂのその他の動作はカメラシステム１ａと同様である。
【００６５】
上述したように、本実施形態によれば、第１の実施形態と同様に、使用者毎にシステムパラメータを簡易に設定することができる。また、システムパラメータを外部の装置に記憶させ、適宜、必要なシステムパラメータを外部の装置から取得するので、カメラシステム１ｂの記憶容量を節約することができる。
【００６６】
（第３の実施形態）
次に、本発明の第３の実施形態を説明する。図１２は、本実施形態によるカメラシステム１ｃの構成を示している。このカメラシステム１ｃでは、図１に示したカメラシステム１ａと比較して、音声入力部１０１０および音声認識処理部１０１１に代えて、アイピース光学系１０２０、画像生成部１０２１、および画像認識処理部１０２２が設けられている。第１の実施形態によるカメラシステム１ａおよび第２の実施形態によるカメラシステム１ｂは使用者の音声に基づいて使用者の属性を識別するが、本実施形態によるカメラシステム１ｃは使用者の目の虹彩パターンに基づいて使用者の属性を識別する。
【００６７】
アイピース光学系１０２０は使用者の目からの光を光学的に結像し、光学像を形成する。図１３に示すように、アイピース光学系１０２０はカメラシステム１ｃの本体の背面に設けられている。画像生成部１０２１は、ＣＣＤ等の撮像素子を備えており、その撮像面に結像された光学像を電気信号に変換し、使用者の画像データを生成する。画像認識処理部１０２２は、画像生成部１０２１によって生成された画像データに基づいて使用者の虹彩パターンを認識し、使用者属性情報として一時記憶部１０１３に格納する。
【００６８】
カメラシステム１ｃで扱う使用者属性情報には、カメラシステム１ａで扱う使用者属性情報に含まれる音声パターンに代えて虹彩パターンが含まれる。このように、使用者属性情報の内容がカメラシステム１ａと異なるが、システムパラメータの設定に関するカメラシステム１ｃの動作はカメラシステム１ａと同様である。
【００６９】
上述したように、本実施形態によれば、第１の実施形態と同様に、使用者毎にシステムパラメータを簡易に設定することができる。
【００７０】
以上、図面を参照して本発明の実施形態について詳述してきたが、具体的な構成は上記の実施形態に限られるものではなく、本発明の要旨を逸脱しない範囲の設計変更等も含まれる。例えば上記の実施形態においては、使用者の音声パターンや虹彩パターンを認識して使用者の属性を識別しているが、使用者の指紋パターンや顔画像を認識して使用者の属性を識別してもよい。
【図面の簡単な説明】
【００７１】
【図１】本発明の第１の実施形態によるカメラシステムの構成を示すブロック図である。
【図２】本発明の第１の実施形態によるカメラシステムの外観図である。
【図３】本発明の第１の実施形態によるカメラシステムの動作の手順を示すフローチャートである。
【図４】本発明の第１の実施形態によるカメラシステムの動作の手順を示すフローチャートである。
【図５】本発明の第１の実施形態によるカメラシステムの動作の手順を示すフローチャートである。
【図６】本発明の第１の実施形態によるカメラシステムの動作の手順を示すフローチャートである。
【図７】本発明の第１の実施形態によるカメラシステムの動作の手順を示すフローチャートである。
【図８】本発明の第１の実施形態によるカメラシステムの動作の手順を示すフローチャートである。
【図９】本発明の第１の実施形態によるカメラシステムの動作の手順を示すフローチャートである。
【図１０】本発明の第２の実施形態によるカメラシステムの構成を示すブロック図である。
【図１１】本発明の第２の実施形態によるカメラシステムの外観図である。
【図１２】本発明の第３の実施形態によるカメラシステムの構成を示すブロック図である。
【図１３】本発明の第３の実施形態によるカメラシステムの外観図である。
【符号の説明】
【００７２】
１ａ，１ｂ，１ｃ・・・カメラシステム、２・・・サーバ、１００１・・・システムコントローラ、１００２・・・レンズ、１００３・・・ＣＣＤ、１００４・・・撮像回路、１００５・・・Ａ／Ｄ変換回路、１００６・・・信号処理回路、１００７・・・圧縮回路、１００８・・・記憶メディア、１００９・・・表示部、１０１０・・・音声入力部、１０１１・・・音声認識処理部、１０１２・・・使用者識別部、１０１３・・・一時記憶部、１０１４・・・レリーズボタン、１０１５・・・操作キー、１０１６・・・モード選択ダイヤル、１０１７・・・フラッシュ、１０１８・・・測光センサ、１０１９・・・通信部、１０１９ａ・・・アンテナ、１０２０・・・アイピース光学系、１０２１・・・画像生成部、１０２２・・・画像認識処理部
【図１】
2009065450.tif 000003
【図２】
2009065450.tif 000004
【図３】
2009065450.tif 000005
【図４】
2009065450.tif 000006
【図５】
2009065450.tif 000007
【図６】
2009065450.tif 000008
【図７】
2009065450.tif 000009
【図８】
2009065450.tif 000010
【図９】
2009065450.tif 000011
【図１０】
2009065450.tif 000012
【図１１】
2009065450.tif 000013
【図１２】
2009065450.tif 000014
【図１３】
2009065450.tif 000015